(57)【要約】      （修正有）【課題】より優れたＥＭＩシールド能力を有する光トランシーバを提供する。【解決手段】光トランシーバは、導電性のレセプタクル部品、板金製のグランド部材、及び、板金製のカバーを備えている。グランド部材は、レセプタクル部品の周面を覆うように設けられる。カバーは、レセプタクル部品に係合される。カバーは、軸線方向に延びる筒状の本体部、及び、第１のタブを有している。第１のタブは、本体部の前端に支持されており、本体部の軸線方向に交差する方向に延びている。グランド部材は、複数のフィンガ、及び、第２のタブを有している。複数のフィンガは、基端と先端とを有しており、軸線方向に延びている。第２のタブは、軸線に交差する方向に延びており複数のタブの先端に接続するように形成されている。第１のタブと第２のタブとは、当該光トランシーバがケージ内に収納されたときに、電気的に接触するように構成されている。【選択図】図１１
2010282016.tif 000002
【特許請求の範囲】
【請求項１】
ホストシステムのケージ内に収納されるプラガブル光トランシーバであって、
導電性のレセプタクル部品と
前記レセプタクル部品の周面を覆うように設けられる板金製のグランド部材と、
前記レセプタクル部品に係合される板金製のカバーと、
を備え、
前記カバーは、軸線に沿って延びる筒状の本体部と、前記本体部の前端に支持された第１のタブであって前記本体部の前記軸線方向に交差する方向に延びる該第１のタブと、を有しており、
前記グランド部材は、基端と先端とを有し前記軸線方向に延びる複数のフィンガと、前記軸線に交差する方向に延びており前記複数のタブの先端に接続するよう形成された第２のタブと、を有しており、
前記第１のタブと前記第２のタブとは、該光トランシーバが前記ケージ内に収納されたときに、電気的に接触するように構成されている、
光トランシーバ。
【請求項２】
前記レセプタクル部品は、前記ケージの内面に対向するように設けられた上壁部を有しており、
前記複数のフィンガは、前記ケージの内面に向かうように形成された第１の凸部を有しており、
前記第２のタブは、該第２のタブの先端と前記第１の凸部との間に形成されており、且つ、前記上壁部に向かうように形成された第２の凸部であって、前記第１の凸部が前記ケージの内面に当接することによって前記上壁部に当接するように構成された第２の凸部を有しており、
前記第２のタブは、前記第２の凸部が前記上壁部に当接することにより前記第１のタブと当接するように構成されている、
請求項１に記載の光トランシーバ。
【請求項３】
前記上壁部は、該上壁部において溝を画成するように設けられた斜面を含んでおり、
前記第２のタブは、前記第２の凸部が前記斜面を摺動することによって該第２のタブの先端が前記第１のタブに当接するように構成されている、
請求項２に記載の光トランシーバ。
【請求項４】
前記グランド部材は、前記複数のフィンガの間において前記軸線方向に延びる別のフィンガを備えており、
前記上壁部は、前記別のフィンガの周縁を囲むように設けられたポケットを有しており、
前記カバーは、前記本体部の先端から前記軸線方向に延びるフィンガを有しており、
前記カバーのフィンガは、前記別のフィンガを押さえつけるように構成されている、
請求項２又は３に記載の光トランシーバ。
【請求項５】
前記グランド部材の複数のフィンガの各々と前記第２のタブとは、Ｓ字状の断面を構成している、請求項２〜４の何れか一項に記載の光トランシーバ。
【発明の詳細な説明】
【技術分野】
【０００１】
本発明は、光トランシーバに関するものである。
【背景技術】
【０００２】
光トランシーバには、プラガブル光トランシーバと呼ばれるものがある。プラガブル光トランシーバは、特開２００８−１８１０１４号公報又は特開２００７−２３３２６１号公報に記載されているように、ケージ内に収容されて利用されるものである。ケージはホストシステムの基板上に設けられており、光トランシーバは、ケージの前端開口から当該ケージ内に挿入される。
【０００３】
この光トランシーバは、本体部、レセプタクル部品、グランド部材、及びカバーを備えている。本体部は、半導体レーザやフォトダイオードといった光デバイス、当該光デバイスと電気的に接続する回路基板等を有している。カバーは、その内部に本体部を収容し、レセプタクルと係合する。レセプタクル部品は、本体部の前側に設けられており、外部から挿入される光コネクタと光デバイスとを光学的に結合するためのものである。グランド部材は、レセプタクル部品の周面を覆う部材であり、フィンガを有している。フィンガは、光トランシーバがケージ内に収納された際に、ケージの内面に接触する。これにより、光トランシーバのＥＭＩ（Electro  Magnetic  Interference）対策が図られている。
【先行技術文献】
【特許文献】
【０００４】
【特許文献１】特開２００８−１８１０１４号公報
【特許文献２】特開２００７−２３３２６１号公報
【発明の概要】
【発明が解決しようとする課題】
【０００５】
近年、光通信システムの通信速度が増加するにつれて、光トランシーバにはより優れたＥＭＩシールド能力が求められている。
【０００６】
本発明は、より優れたＥＭＩシールド能力を有する光トランシーバを提供することを目的としている。
【課題を解決するための手段】
【０００７】
本発明の光トランシーバは、ホストシステムのケージ内に収納されるプラガブル光トランシーバである。本光トランシーバは、導電性のレセプタクル部品、板金製のグランド部材、及び、板金製のカバーを備えている。グランド部材は、レセプタクル部品の周面を覆うように設けられる。カバーは、レセプタクル部品に係合される。カバーは、軸線方向に延びる筒状の本体部、及び、第１のタブを有している。第１のタブは、本体部の前端に支持されており、本体部の軸線方向に交差する方向に延びている。グランド部材は、複数のフィンガ、及び、第２のタブを有している。複数のフィンガは、基端と先端とを有しており、軸線方向に延びている。第２のタブは、軸線に交差する方向に延びており複数のタブの先端に接続するように形成されている。第１のタブと第２のタブとは、当該光トランシーバがケージ内に収納されたときに、電気的に接触するように構成されている。この光トランシーバによれば、第１のタブと第２のタブとの間のＥＭＩシールドが達成される。
【０００８】
本光トランシーバは、以下の構成を有していてもよい。即ち、レセプタクル部品は、ケージの内面に対向するように設けられた上壁部を有し得る。複数のフィンガは、ケージの内面に向かうように形成された第１の凸部を有し得る。第２のタブは、当該第２のタブの先端と第１の凸部との間に形成されており、且つ、上壁部に向かうように形成された第２の凸部を有し得る。第２の凸部は、第１の凸部がケージの内面に当接することによって上壁部に当接するように構成され得る。第２のタブは、第２の凸部が上壁部に当接することにより第１のタブと当接するように構成され得る。
【０００９】
また、本光トランシーバにおいては、上壁部は、当該上壁部において溝を画成するように設けられた斜面を含んでおり、第２のタブは、第２の凸部が斜面を摺動することによって当該第２のタブの先端が第１のタブに当接するように構成されていることが好適である。
【００１０】
本光トランシーバでは、グランド部材が、複数のフィンガの間において軸線方向に延びる別のフィンガを備えており、上壁部が、別のフィンガの周縁を囲むように設けられたポケットを有しており、カバーが、本体部の先端から軸線方向に延びるフィンガを有しており、カバーのフィンガが、グランド部材の別のフィンガを押さえつけるように構成されていることが好ましい。この構成によれば、グランド部材の複数のフィンガ間におけるＥＭＩシールドが達成される。
【００１１】
また、本光トランシーバでは、グランド部材の複数のフィンガの各々と第２のタブとの連続体が、Ｓ字状の断面を構成していることが好適である。
【発明の効果】
【００１２】
以上説明したように、本発明によれば、より優れたＥＭＩシールド能力を有する光トランシーバが提供される。
【図面の簡単な説明】
【００１３】
【図１】一実施形態に係る光トランシーバがケージに収納された状態を示す斜視図である。
【図２】一実施形態に係る光トランシーバの平面図である。
【図３】図２に示す光トランシーバのカバーの斜視図である。
【図４】図２に示す光トランシーバのカバーの側方から見た平面図である。
【図５】図２に示す光トランシーバのレセプタクル部品の斜視図であり、
【図６】図２に示す光トランシーバのレセプタクル部品を側方から見た平面図である。
【図７】図２に示す光トランシーバのグランド部材の斜視図である。
【図８】図２に示す光トランシーバのグランド部材を側方から見た斜視図である。
【図９】図２のＸＩ−ＸＩ線における断面を示す図である。
【図１０】図９の参照符号Ａで示す領域の拡大図であり、ケージの内面が第１のフィンガに当接する前後の状態を示す図である。
【図１１】図９の参照符号Ａで示す領域の拡大図であり、ケージの内面が第１のタブに当接する前後の状態を示す図である。
【図１２】図２に示す光トランシーバがケージ内に収納された状態での第２のフィンガ、カバーのフィンガ、及び、レセプタクル部品のポケットの位置関係を示す図である。
【発明を実施するための形態】
【００１４】
以下、図面を参照して本発明の好適な実施形態について詳細に説明する。なお、各図面において同一又は相当の部分に対しては同一の符号を附すこととする。
【００１５】
図１は、一実施形態に係る光トランシーバがケージに収納された状態を示す斜視図である。図１に示す光トランシーバ１０は、プラガブル光トランシーバであり、ホストシステムのケージ１００に収納して利用されるものである。ケージ１００は、ホストシステムの基板１０２上に搭載されている。ケージ１００の前端部は、当該ホストシステムのフロントパネル１０４から露出している。光トランシーバ１０は、ケージ１００の前端開口から当該ケージ１００内に挿入される。
【００１６】
図２は、一実施形態に係る光トランシーバの平面図である。図２に示すように、光トランシーバ１０は、レセプタクル部品１４、グランド部材１６、及びカバー１８を備えている。以下の説明では、方向を示す用語として、カバー１８に対してレセプタクル部品１４が位置する方向を「前」又は「先」、レセプタクル部品１４に対してカバー１８が位置する方向を「後」ということがある。
【００１７】
光トランシーバ１０の本体部は、半導体レーザやフォトダイオードといった光デバイス、当該光デバイスに電気的に接続する回路基板を有している。光トランシーバ１０の本体部は、カバー１８の内部に収容されている。
【００１８】
図３は図２に示す光トランシーバのカバーの斜視図であり、図４は図２に示す光トランシーバのカバーを側方から見た平面図である。図３及び図４に示すカバー１８は、金属板を切断及び折り曲げ加工することにより形成される部品である。カバー１８は、本体部１８ａを有している。本体部１８ａは、所定の軸線Ｚ方向に延びる角筒状を成しており、前端及び後端において開口されている。この本体部１８ａが画成する内部空間には、上述した回路基板等が収容されている。
【００１９】
カバー１８はまた、一対の脚部１８ｂ、第１のタブ１８ｃ、並びに、フィンガ１８ｄ及び１８ｅを有している。第１のタブ１８ｃは、一対の脚部１８ｂを介して本体部１８ａの先端に支持されている。具体的には、第１のタブ１８ｃは、軸線Ｚ方向に交差する方向に延びており、一対の脚部１８ｂの先端に接続している。一対の脚部１８ｂは、本体部１８ａの天板部の先端の両縁から軸線Ｚ方向に延びている。一対の脚部１８ｂは、本体部１８ａの先端に接続された基端部において上方に折り曲げられている。従って、第２のタブ１８ｃは、本体部１８ａの天板部より上方に位置している。本光トランシーバ１０を、ケージ１００内に収納した場合には、この第２のタブ１８ｃは、ケージ１００の内面に当接する。
【００２０】
フィンガ１８ｄ及び１８ｅは、本体部１８ａの天板部の先端から延びており、一対の脚部１８ｂと第２のタブ１８ｃによって囲われた空間に存在している。フィンガ１８ｄ及び１８ｅは、光トランシーバ１０においては、後述するグランド部材１６の第２のフィンガ上に位置する。フィンガ１８ｄ及び１８ｅは、ケージ１００内に収容されていない場合の自由状態では、脚部１８ｂより下方に存在している。
【００２１】
カバー１８は、その一対の側壁の先端部に開口１８ｆを有している。開口１８ｆに、レセプタクル部品１４の側壁部に形成された突起１４ａが嵌められることによって、カバー１８は、レセプタクル部品１４に係合される。
【００２２】
図５は図２に示す光トランシーバのレセプタクル部品の斜視図であり、図６は図２に示す光トランシーバのレセプタクル部品を側方から見た平面図である。レセプタクル部品１４は、その先端側から挿入される光コネクタと本体部１２の光デバイスとを光学的に結合するための部品である。レセプタクル部品１４は、ダイキャスト製である。
【００２３】
レセプタクル部品１４は、上壁部１４ｂ及び側壁部１４ｃを有している。上壁部１４ｂ及び側壁部１４ｃは、光コネクタと光デバイスを光学的に結合するための空間であって軸線Ｚ方向に延びる空間を画成している。なお、上述した突起１４ａは、側壁部１４ｃに形成されている。
【００２４】
上壁部１４ｂ及び側壁部１４ｃにはそれぞれ、後述するグランド部材１６の先端が当接するストッパ１４ｄ及び１４ｅが形成されている。これらストッパ１４ｄ及び１４ｅは、軸線Ｚに交差する面に沿っており、後方へ向いた面である。
【００２５】
レセプタクル部品１４の上壁部１４ｂには、ストッパ１４ｄの後方において軸線Ｚ方向に交差する方向に延びる溝１４ｆが形成されている。上壁部１４ｂは斜面１４ｇを含んでおり、当該斜面１４ｇは、後方側から溝１４ｆを画成している。
【００２６】
また、レセプタクル部品１４は、上壁部１４ｂから後方へ連続するように庇部１４ｈを有している。上壁部１４ｂの後端部であって庇部１４ｈの前側には二つのポケット１４ｉが形成されている。この二つのポケット１４ｉは、後述するように、グランド部材１６の第２のフィンガを囲む部分である。
【００２７】
図７は図２に示す光トランシーバのグランド部材の斜視図であり、図８は図２に示す光トランシーバのグランド部材を側方から見た斜視図である。グランド部材１６は、レセプタクル部品１４と組み合わせて用いられる部材である。このグランド部材１６は、一枚の金属板に対する切断及び折り曲げ加工によって形成されており、接着、溶接等の付帯加工を用いていない生産製を高めた部品である。
【００２８】
グランド部材１６は、レセプタクル部品１４の庇部１４ｈに沿うように形成された二重折り曲げ部１６ａを有している。グランド部材１６はまた、レセプタクル部品１４の側壁部１４ｃに沿うように設けられた側片１６ｂを有している。側片１６ｂには、開口１６ｃが形成されている。開口１６ｃにレセプタクル部品１４の突起１４ａが嵌められることにより、グランド部材１６はレセプタクル部品１４に対して組み付けられる。この組立の際にも、接着、溶接、ネジ止め等の付帯作業を要しない。なお、この組立の際には、グランド部材１６の中央片１６ｄが、光デバイスを有する光サブアセンブリの二つのフランジによって挟み込まれる。
【００２９】
また、図７及び図８に示すように、グランド部材１６は、更に、複数の第１のフィンガ１６ｅ、第２のタブ１６ｆ、及び、複数の第２のフィンガ１６ｇを有している。第１のフィンガ１６ｅは、二重折り曲げ部１６ａの上側部位の前端から軸線Ｚ方向に延び出している。第２のタブ１６ｆは、軸線Ｚ方向に交差する方向に延びており、複数の第１のフィンガ１６ｅの先端に接続している。
【００３０】
第１のフィンガ１６ｅは、二重折り曲げ部１６ａの上側部位の前端から上方に延び、その中間部位から下方に撓んだ後、第２のタブ１６ｆに接続している。したがって、このような構成の第１のフィンガ１６ｅは、その先端と基端との間にケージ１００の内壁に向かう第１の凸部１６ｈを含んでいる。第２のタブ１６ｆは、その後方端から下方に延びた後、上方に延びている。したがって、このような構成の第２のタブ１６ｆは、レセプタクル部品１４の上壁部１４ｂに向けた第２の凸部１６ｉを含んでいる。以上のように構成された第１のフィンガ１６ｅと第２のタブ１６ｆとの連続体は、図８に示すように、Ｓ字状の断面形状を有している。光トランシーバ１０をケージ１００内に収納した際には、第１のフィンガ１６ｅの凸部１６ｈがケージ１００の内面に当接し、第２のタブ１６ｆの第２の凸部１６ｉがレセプタクル部品１４に当接する。
【００３１】
第２のフィンガ１６ｇは、複数の第１のフィンガ１６ｅの間において、二重折り曲げ部１６ａの上側部位の前端から軸線Ｚ方向に延びている。第２のフィンガ１６ｇは、グランド部材１６がレセプタクル部品１４に組み付けられた際に、レセプタクル部品１４のポケット１４ｉによって囲まれた空間内に配置される。
【００３２】
以下、光トランシーバ１０がケージ１００内に収容される際のレセプタクル部品１４、グランド部材１６、及び、カバー１８の各部の状態について説明する。図９は、図２のＸＩ−ＸＩ線における断面を示す図である。図１０は、図９の参照符号Ａで示す領域の拡大図であり、ケージの内面が第１のフィンガに当接する前後の状態を示す図である。図１１は、図９の参照符号Ａで示す領域の拡大図であり、ケージの内面が第１のタブに当接する前後の状態を示す図である。なお、図１０では、ケージ１００内に収納されていない光トランシーバ１０の自由状態が実線によって示されており、光トランシーバ１０がケージ１００内に挿入される際にケージ１００の内面が第１の凸部１６ｈに当接した状態が二点鎖線によって示されている。また、図１１では、光トランシーバ１０がケージ１００内に挿入される際にケージ１００の内面が第１の凸部１６ｈに当接した状態が実線によって示されており、ケージ１００の内面が第１のタブ１８ｃに当接した状態が二点差線により示されている。
【００３３】
図９及び図１０に示すように、光トランシーバ１０がケージ１００内に収納されていない自由状態では、グランド部材１６の第２の凸部１６ｉは、レセプタクル部品１４から僅かに浮いた状態にある。
【００３４】
図１０に示すように、光トランシーバ１０をケージ１００内に挿入すると（矢印Ａ１）、まず、グランド部材１６の第１の凸部１６ｈがケージ１００の内面に接触する。これによって、グランド部材１６の第１のフィンガ１６ｅ及び第２のタブ１６ｆが、ケージ１００の内面によって下方に押し込まれる（矢印Ａ２）。その結果、グランド部材１６の第２のタブ１６ｆの第２の凸部１６ｉが、レセプタクル部品１４の上壁部１４ｂの斜面１４ｇに当接する。
【００３５】
図１１に示すように、光トランシーバ１０が更にケージ１００内に挿入されると（矢印Ａ３）、グランド部材１６の第２の凸部１６ｉが、斜面１４ｇ上を下方に向けて摺動する（矢印Ａ４）。その結果、第２のタブ１６ｆの先端が上方へ僅かに持ち上げられる（矢印Ａ５）。光トランシーバ１０が更にケージ１００内に挿入されると、ケージ１００の内面にカバー１８の第１のタブ１８ｃが当接し、脚部１８ｂと共に第１のタブ１８ｃが下方へ押し込まれる。その結果、最終的に光トランシーバ１０がケージ１００内に収納されると、下方へ押し込まれたカバー１８の第１のタブ１８ｃと上方へ持ち上げられたグランド部材１６の第２のタブ１６ｆの先端とが接触する。
【００３６】
カバー１８とグランド部材１６との間には、グランド部材１６をレセプタクル部品１４に組み付けた後、カバー１８を更にレセプタクル部品１４に係合するために、僅かな隙間が必要である。従来の光トランシーバでは、この隙間を介してＥＭＩ障害が発生することがあった。一方、光トランシーバ１０では、カバー１８の第１のタブ１８ｃとグランド部材１６の第２のタブ１６ｆとが接触して当該隙間を閉じるので、ＥＭＩ耐性が向上される。
【００３７】
さらに、光トランシーバ１０では、グランド部材１６の第２のフィンガ１６ｇ、レセプタクル部品１４のポケット１４ｉ、並びに、カバー１８のフィンガ１８ｄ及び１８ｅにより、ＥＭＩ対策が図られている。
【００３８】
図１２は、図２に示す光トランシーバがケージ内に収納された状態での第２のフィンガ、カバーのフィンガ、及び、レセプタクル部品のポケットの位置関係を示す図である。光トランシーバ１０がケージ１００内に収容されると、図１２に示すように、第２のフィンガ１６ｇは、レセプタクル部品１４のポケット１４ｉによって囲まれた空間に収納される。
【００３９】
ポケット１４ｉによって囲まれた空間は、第１のフィンガ１６ｅの間に位置しており、ＥＭＩ対策を図るべき箇所である。光トランシーバ１０では、第２のフィンガ１６ｇがレセプタクル部品１４のポケット１４ｉによって囲まれた空間に収納され、且つ、カバー１８のフィンガ１８ｄ及び１８ｅが第２のフィンガ１６ｇを上方から押さえつける二重構造が構成されている。このように、光トランシーバ１０では、グランド部材１６の第１のフィンガ１６ｅの間においてもＥＭＩ対策が図られている。
【００４０】
以上説明したように、光トランシーバ１０では、光トランシーバ１０の本体部とカバー１８との間に残る僅かな隙間が、カバー１８の第１のタブ１８ｃとグランド部材１６の第２のタブ１６ｆ、並びに、グランド部材１６の第２のフィンガ１６ｇとレセプタクル部品１４のポケット１４ｉとカバー１８のフィンガ１８ｄ及び１８ｅにより、二重にシールドされる。
【符号の説明】
【００４１】
１０…光トランシーバ、１２…本体部、１４…レセプタクル部品、１４ａ…突起、１４ｂ…上壁部、１４ｃ…側壁部、１４ｄ，１４ｅ…ストッパ、１４ｆ…溝、１４ｇ…斜面、１４ｈ…庇部、１４ｉ…ポケット、１６…グランド部材、１６ａ…二重折り曲げ部、１６ｂ…側片、１６ｃ…開口、１６ｄ…中央片、１６ｅ…第１のフィンガ、１６ｆ…第２のタブ、１６ｇ…第２のフィンガ、１６ｈ…第１の凸部、１６ｉ…第２の凸部、１８…カバー、１８ａ…本体部、１８ｂ…脚部、１８ｃ…第１のタブ、１８ｄ…フィンガ、１８ｆ…開口、１００…ケージ。
【図１】
2010282016.tif 000003
【図２】
2010282016.tif 000004
【図３】
2010282016.tif 000005
【図４】
2010282016.tif 000006
【図５】
2010282016.tif 000007
【図６】
2010282016.tif 000008
【図７】
2010282016.tif 000009
【図８】
2010282016.tif 000010
【図９】
2010282016.tif 000011
【図１０】
2010282016.tif 000012
【図１１】
2010282016.tif 000013
【図１２】
2010282016.tif 000014